(57)【特許請求の範囲】
【請求項１】
撮影レンズを透過した被写界からの光を測光して被写界輝度を算出するカメラの測光装置において、
受光した光量に応じて測光データを出力する測光素子と、
前記撮影レンズを透過した光を前記測光素子に導く測光光学系と、
前記撮影レンズの光学特性を表すレンズデータを出力するレンズデータ出力部と、
前記測光データと前記レンズデータに基づき、被写界輝度を算出する測光演算部と、
前記撮影レンズの光軸に対する前記測光光学系の光軸の設計仕様からの角度偏差に関する情報を、前記測光光学系を有するカメラ毎に個別データとして記憶する書き換え可能な個別データ記憶部と、
前記個別データとして記憶した前記角度偏差と前記レンズデータとに基づいて前記角度偏差に起因する輝度補正量を求め、前記測光演算部で演算された被写界輝度を前記輝度補正量で補正する測光補正演算部と、
を備えたことを特徴とするカメラの測光装置。
【請求項２】
請求項１に記載されたカメラの測光装置において、
前記レンズデータは撮影レンズの射出瞳の距離に関するデータを含むとともに、
前記測光補正演算部は、前記撮影レンズの射出瞳の距離が小さくなるほど、カメラ個別の輝度補正の絶対量を大きくする演算を行なうことを特徴とするカメラの測光装置。
【発明の詳細な説明】
【０００１】
【発明の属する技術分野】
本発明は撮影レンズを備えた一眼レフカメラの測光装置に関し、特に、測光補正の方法を改良したカメラの測光装置に関するものである。
【０００２】
【従来の技術】
従来一眼レフカメラの測光装置として、撮影レンズを通過した光束をファインダ光学系中に備えた測光素子で測光して被写界輝度を算出する、所謂ＴＴＬ測光方式の測光装置が知られている。
また測光素子の受光部を複数領域に分割し、分割測光領域毎に測光を行う分割測光方式の測光装置も知られている。
このような従来のＴＴＬ測光方式の測光装置では、撮影レンズの光学特性、即ち開放Ｆ値、射出瞳位置（距離）、あるいは分割測光領域の位置等の要因により、算出した被写界輝度に誤差を生ずるため、撮影レンズの光学特性に応じて分割測光領域毎に被写界輝度の補正を行っていた。
また撮影レンズから測光素子の間に介在する測光光学系の製造誤差等のカメラ個別の要因によっても、被写界輝度に誤差を生ずる。
特開平１１−２４９１９３号公報では測光光学系の製造誤差等のカメラ個別要因による誤差を取り除くための方法が開示されている。
この方法によれば、まず既知の輝度の被写体に対し開放Ｆ値の異なる少なくとも２本の基準レンズを使いカメラボディ毎に測光を行なって被写界輝度を算出し、既知の輝度と算出した被写界輝度との誤差をボディ記憶部に記憶しておく。実際に撮影レンズを装着した場合には、前記記憶された少なくとも２つの輝度誤差データと装着された撮影レンズの開放Ｆ値から実際の輝度誤差量を推定してカメラ個別の輝度補正を行う。
【０００３】
【発明が解決しようとする課題】
特開平１１−２４９１９３号公報では、カメラ個別の誤差要因（測光光学系の製造誤差等）の影響を、最終的な算出結果である輝度誤差量の形で記憶し、輝度誤差量がおおよそ撮影レンズの開放F値に依存していることを仮定し被写界輝度の補正を行う訳であるが、この方法ではカメラ個別の誤差要因（測光光学系の製造誤差等）が輝度誤差に与える特性やメカニズムについては考慮せずに大雑把な補正となっているため、輝度誤差の補正が不十分であった。
また測光光学系の個体差によって生じる被写界輝度の誤差量は、撮影レンズ側の要因として撮影レンズの開放F値以外にも、撮影レンズの射出瞳位置や、カメラボディ側の要因も複雑に絡み合って変化するため、撮影レンズの開放Ｆ値のみに関連させて輝度補正を行った場合、必ずしも十分な精度で輝度補正が行うことができなかった。
本発明の課題は、被写界輝度の算出誤差を発生させるカメラ個別測光光学系の誤差要因を適切に考慮して輝度補正を行うことにより、カメラ個別の輝度算出誤差をより高精度に補正を行なうことである。
【０００４】
【課題を解決するための手段】
前記課題を解決するために、請求項１の発明によるカメラの測光装置は、受光した光量に応じて測光データを出力する測光素子（６）と、前記撮影レンズを透過した光を前記測光素子（６）に導く測光光学系（４０）と、前記撮影レンズの光学特性を表すレンズデータを出力するレンズデータ出力部（４２）と、前記測光データと前記レンズデータに基づき、被写界輝度を算出する測光演算部（４３）と、前記撮影レンズの光軸に対する前記測光光学系（４０）の光軸の設計仕様からの角度偏差に関する情報を、前記測光光学系を有するカメラ毎に個別データとして記憶する書き換え可能な個別データ記憶部（４４）と、前記個別データとして記憶した前記角度偏差と前記レンズデータとに基づいて前記角度偏差に起因する輝度補正量を求め、前記測光演算部（４３）で演算された被写界輝度を前記輝度補正量で補正する測光補正演算部（４５）とを備えたことを特徴とする。
請求項２の発明は、請求項１に記載されたカメラの測光装置において、前記レンズデータは撮影レンズの射出瞳の距離に関するデータを含むとともに、前記測光補正演算部（４５）は、前記撮影レンズの射出瞳の距離が小さくなるほど、カメラ個別の輝度補正の絶対量を大きくする演算を行なうことを特徴とする。
【０００５】
【発明の実施の形態】
以下、図面などを参照して、本発明の実施形態をあげ、さらに詳細に説明する。
（測光装置の構成）図１は、本発明によるカメラの測光装置の実施形態を示したブロック図である。この実施形態の測光装置が適用されるカメラは、測光光学系４０と、測光素子６と、測光演算部４３と、レンズデータ出力部４２と、個別データ記憶部４４と、測光補正演算部４５などを備えている。
測光光学系４０は測光素子６と撮影レンズ１の間に配置された光学系である。
測光素子６は、複数に分割された測光領域を有し、各分割測光領域の受光量に応じた測光データを出力する素子である。
レンズデータ出力部４２は、撮影レンズの光学特性を表すレンズデータを出力する。
個別データ記憶部４４には、後述するカメラ個別に測光光学系４０の設計仕様からの偏差量に関連するデータが格納される。
測光演算部４３は、測光素子６が出力する測光データとレンズデータ出力部４２が出力するレンズデータから被写界輝度を算出する部分である。
測光補正演算部４５は、個別データ記憶部４４から入力される個別データとレンズデータ出力部４２が出力するレンズデータとにより、被写界輝度をカメラボディ毎に個別補正するための輝度補正値を算出し、該輝度補正値に基づき測光演算部４３が算出した被写界輝度を補正する部分である。
このようにして得られた被写界輝度に基づき、カメラは周知のごとく適正露出値を決定し、さらにシャッター値と絞り値に決定し撮影動作の制御を行う。
図２は、本発明を一眼レフカメラの測光装置に適用した場合の基本構成を示す図である。
交換レンズ構体１０がカメラボディ２０に装着され、交換レンズ構体１０には、撮影レンズ１、レンズマイコン１１、レンズＲＯＭ１２が内蔵されており、カメラボディ２０には、クイックリターンミラー２、コンデンサレンズ９、スクリーン３、ペンタプリズム４、測光レンズ５、測光素子６、接眼レンズ７、ボディマイコン２１、ボディＲＯＭ２２、ＥＥＰＲＯＭ２３が備えられている。
撮影レンズ１から測光素子６に至るまでに配置されているクイックリターンミラー２、コンデンサレンズ９、スクリーン３、ペンタプリズム４、測光レンズ５等の光学部材が、図１の測光光学系４０に相当する。
またレンズマイコン１１とレンズＲＯＭ１２が図１のレンズデータ出力部４２に相当し、ＥＥＰＲＯＭ２３が図１の個別データ記憶部４４に相当する。
またボディマイコン２１とボディＲＯＭ２２が図１の測光演算部４３および測光演算部４５に相当する。
レンズマイコン１１とボディマイコン２１はコネクタ８を介してお互いに情報をやりとりする。
（測光光学系の構成）図３は測光光学系４０、測光素子６の具体的構成を示した構成図である。
測光素子６と測光レンズ５は、撮影レンズ１や接眼レンズ７の光軸からはずれた位置に置かれている。ここではもっとも一般的な例として、接眼レンズ７の上方に測光レンズ５と測光素子６が置かれているとして説明する。
測光光学系の光軸１３（測光レンズ５の光軸）は撮影レンズ１の光軸１４とスクリーン３上で所定角度（以後測光光学系のにらみ角と呼ぶ）をなして交わるように設計されている。従って測光素子６はスクリーン３を斜めからにらむように見ていることになる。
上記所定角度（にらみ角）は測光光学系の設計仕様として定められた値に設定されている。
被写体からの光は撮影レンズ１を通り、クイックリターンミラー２でファインダ側に反射され、スクリーン３の裏面に設けられたフレネルレンズからなるコンデンサレンズ９を通過した後、フィルム面と等価な位置に置かれたスクリーン３に一旦結像する。
スクリーン３を通過し、拡散された光束の一部は、ペンタプリズム４で折り曲げられ、接眼レンズ７を通して、撮影者の眼に入る。またスクリーン３を通過、拡散された光束の一部は測光レンズ５で集光され、測光素子６上に再結像する。
図４は測光素子６の受光部を示した図である。測光素子６の受光部はＳＰＤ（シリコンフォトダイオード）がいくつかに分割（図４では５分割）されており、被写界を分割してそれぞれの領域を測光できるようになっている。すなわち光学的には測光素子６の受光部の分割形状が測光レンズ５によりスクリーン３上の画面に重畳される構成になっており、画面上を複数の分割測光領域に分割して測光することが可能になるわけである。
スクリーン３で拡散された光束は、測光レンズ５で集光され測光素子６上にスクリーン３で一旦結像した像を再度結像させる。測光素子６上の分割測光領域において、この像の照度に応じた光電流がＳＰＤに生じ、この電流を対数圧縮、増幅などをおこない、ボディマイコン２１内のＡ／ＤコンバータでＡ／Ｄ変換する。ボディマイコン２１内ではこれにガンマ補正、レベル補正などの演算をおこなうことで、測光素子６上の各分割測光領域の照度に対応する測光データを得る。
図５はスクリーン３により拡散される光の拡散特性（拡散光の角度と拡散光の相対的強度の関係）を示した図である。
図５の実線は、撮影レンズを装着した場合にスクリーン３により拡散される光の拡散特性の一例を示したものである。
装着した撮影レンズ１の開放Ｆ値、射出瞳位置、分割測光領域の位置に応じて、スクリーン３に入射する光の入射角度特性が変化するため、それに応じてスクリーン３により拡散される光の拡散特性も、開放Ｆ値、射出瞳位置、分割測光領域の位置等によって変化する。
測光素子６が受光する光量は、スクリーン３に入射したすべての光が色々な方向に拡散されたもののうち、測光レンズ５の方向に拡散された成分の和となる。
したがって、測光素子６の受光する光量およびそれに応じた測光データは、同一輝度の被写界をみたときでも、分割測光領域、スクリーンの拡散度、撮影レンズの開放Ｆ値、射出瞳位置、測光光学系のにらみ角などが複雑に関係して変化する。
測光データから被写界輝度を正確に算出するには、上記変化を適切に考慮して輝度補正することが必要である。
（測光演算部の実施例）分割された測光領域毎に得られた測光データは、上述したように、撮影レンズ１の開放Ｆ値、射出瞳位置、スクリーン３の拡散度、測光光学系４０のにらみ角、分割測光領域の位置などの要因の影響をうけている。
測光演算部４３ではこれらの要因の影響を除去した被写界輝度を算出する。測光演算部４３を構成するボディＲＯＭ２２には、レンズデータと測光データ等から被写界輝度を算出するための予め導出された演算式が記憶されており、ボディマイコン２１はこの演算式に基づき被写界輝度を算出する。
測光演算部４３による被写界輝度の算出方法の一例を説明する。
まずカメラボディの機種毎に、量産品と同一な構成状態の測光光学系と測光素子６を備えた基準カメラボディを用意する。この基準カメラボディにおいて測光光学系の構成要素は製造バラツキの中心的なものを用い、また各構成要素の調整は調整公差の中心付近に調整されている。この基準カメラボディの測光光学系の仕様が多少図面上の設計値からずれていたとしても、この基準カメラボディの測光光学系の仕様が設計仕様であると考えることができる。即ちここで言う測光光学系の設計仕様とは、基準となる被写体輝度を導出するために使用する測光光学系の仕様であり、測光光学系の基準仕様ということもできる。
次に複数種類の撮影レンズをこの基準カメラボディに装着し、既知の輝度の被写体（輝度箱など）に対して、測光素子６の分割測光領域毎に測光データを取り、該測光データを所定の関係式に基づき被写界輝度に変換する。
たこの時測光素子６への入射光光量は装着レンズの絞りの大きさ（開放Ｆ値）により制限されるため、まず開放Ｆ値に応じて被写界輝度を補正する。
また測光素子６の受光量は前述したようにスクリーン３により拡散される光の拡散特性にも影響を受けるので、拡散特性に影響を与える撮影レンズの開放Ｆ値、射出瞳距離などの光学特性に応じて被写界輝度を補正する必要がある。
以下のようにしてこの補正は行われる。
まず算出した被写界輝度の既知の輝度に対する誤差量を求める。
次にこの誤差量と装着した撮影レンズのレンズデータ（開放Ｆ値、射出瞳位置、焦点距離など）との対応関係をニューロ手法等により解析し、任意のレンズデータに対して輝度誤差量を算出する演算式を導出しておく。
このようにして基準カメラボディに対して得られた輝度誤差量演算式を、カメラボディ２０内のボディマイコンのＲＯＭ２２にプログラムとして記憶しておく。実際にカメラボディ２０に交換レンズ構体１０が装着された場合には、まずボディマイコン２１は、測光データとレンズマイコン１１との通信により得られた開放Ｆ値に基づき被写界輝度を算出する。次にレンズデータと上記輝度誤差量演算式を用いて輝度誤差量を算出し、その誤差量により被写界輝度を補正する。
以上が測光データに基づく被写界輝度の算出の一例であり、図１の測光演算部４３で行われる処理である。
（測光補正演算部の実施例）以上のような処理を行なうことにより、測光素子６が出力する測光データから被写界輝度を算出するのであるが、この被写界輝度は個々のカメラボディが基準カメラボディと全く同じ構成であるという前提のもとに算出される被写界輝度である。実際には個々のカメラボディの測光光学系には製造誤差や調整誤差による個体差が生じている。
例えば、クイックリターンミラー２の角度の調整誤差、スクリーン３の拡散度やコンデンサレンズ９の焦点距離の製造バラツキ、ペンタプリズムの頂角の製造バラツキ、測光レンズ５の焦点距離の誤差、スクリーン３に対する測光光学系のにらみ角の調整誤差、測光素子６の位置調整誤差等である。
このようにカメラボディ毎に測光光学系の構成状態が基準カメラボディの測光光学系の構成状態（設計仕様）からずれていると、上記前提のもとに図１の測光演算部４３で算出した被写界輝度と実際の被写界輝度との間に誤差が発生してしまう。
ここで測光光学系の設計仕様とは、具体的には測光光学系のにらみ角の設計値、測光光学系を構成する部品の基準寸法、測光光学系を構成する部材の仕様（スクリーンの拡散度、測光光学系の透過率）等、測光光学系の基準となる特性を表す仕様である。
被写界輝度の誤差発生メカニズムについて、被写界輝度に与える影響度が大きい測光光学系のにらみ角の要因を例に取って説明する。
図３において測光レンズ５の光軸１３と撮影レンズ１の光軸１４とのなす角度（にらみ角）をαとする。光軸１４は測光光学系４０が設計仕様通り（設計値あるいは調整誤差の中心値）の場合の光軸位置を示している。
次に撮影レンズ１の光軸１４が角度θずれ、光軸１４‘になったと仮定する。撮影レンズ１の光軸１４’と測光レンズ５の光軸１３とのなす角度はαからθだけ変化する。このにらみ角のずれθはペンタプリズム４の形状の製造ばらつき、クイックリターンミラー２の傾きの調整誤差、測光レンズ５および測光素子６の位置調整誤差、カメラボディ部品の寸法のばらつきなどによって生じる。
測光レンズで集光される光の量はにらみ角度αに依存するので、これがθ変化すると前述したように測光レンズ５の方向に拡散する光の量が変化する。
スクリーン３による拡散光の拡散特性を図５の実線に示すようなものとした場合、角度αと角度α＋θにおける光の拡散量の変化は急激であり、結果として測光光学系のにらみ角のずれが測光素子６の受光量ひいては算出される被写界輝度に大きな影響を与えることになる。
例えばスクリーン３の拡散度が高くかつ開放F値が明るい場合には、総合的にスクリーン３から拡散する光の拡散特性は、図５の破線に示すような比較的広い拡散特性になり、にらみ角のずれに対する光の拡散量の変化は緩やかである。しかしながら、最近はファインダを明るくするため、スクリーン３の拡散度を低く設定する傾向にあり、このように拡散度の低いスクリーンを開放Ｆ値の大きい暗いレンズと組み合わせた場合には、スクリーン３から拡散する光の拡散特性は急峻な特性となる。従って測光光学系のにらみ角のずれに対する光の拡散量の変化は急激となり、結果的に算出される被写界輝度の個体差が無視できない量となってしまうことになる。
図３ではスクリーン３の中央の領域について示したが、周辺の領域においても同様に拡散する光の量が変化する。また拡散する光の変化量は領域毎に異なる。
測光補正演算部４５では測光演算部４３により算出された被写界輝度に対し、上述した測光光学系の個体差による輝度算出誤差をカメラ個別に補正を行なう。
本発明ではこの個体毎の輝度補正量を算出する演算式を、予めカメラボディ２０内のボディＲＯＭ２２に記憶させる。また測光光学系４０の設計仕様からの偏差量を、この偏差量に対応する個別データとして書き換え可能なＥＥＰＲＯＭ２３などの記憶装置に記憶させるようにし、カメラボディ２０の組み立て調整時にカメラ個別に書き換える。
輝度補正量を算出する演算式は以下の特性を備える。
▲１▼分割測光領域に応じて輝度補正量の変化度合いを変える。これは分割測光領域に位置に応じて拡散光の拡散特性が異なるからである。
▲２▼１／Ｐｏが大きくなると補正量は大きくなる。（Ｐｏは撮影レンズの射出瞳距離） したがってＰｏが小さくなると補正量は大きくなる。これは射出瞳距離が短くなるほど、スクリーン周辺部へ入射する光の入射角度がきつくなり、拡散特性の裾野部分の光を測光に使用することになるからである。
▲３▼撮影レンズの開放Ｆ値が大きくなる（暗くなる）と補正量は大きくなる。これは開放Ｆ値が暗くなるほど、拡散光の拡散特性が急峻になるからである。
これらの▲１▼、▲２▼、▲３▼の特性は、カメラボディ毎の測光素子の受光量の変化が、測光レンズ５の光軸１３と撮影レンズ１の光軸１４とのなす角度（にらみ角）のずれによって主に生じると仮定することで導かれる。
上記の特徴を持たせた演算式の例として以下のような演算が考えられる。
【０００６】
【数１】
0004524852.tif 000002
【０００７】
ここで
Ｓ[ｉ]：各分割測光領域における輝度補正量
θ：ＥＥＰＲＯＭなど書き換え可能な記憶装置に記録される調整値
Ｋ[ｉ]：分割測光領域ごと輝度補正の効き程度を規定する係数
Ｐｏ：撮影レンズの射出瞳の距離
ＡＶ：撮影レンズの開放Ｆ値の底√２の対数
Ａ，Ｂ，Ｃ，Ｄ ： 正の定数
ｉ：分割測光領域の領域を示す番号。この例では１〜５。
θが上述の角度のずれ量を示す値で、書き換え可能な記憶装置に記録され、カメラボディ個体毎の特性を代表する個別データである。Ｋ[ｉ]は分割測光領域毎にこの補正の必要な度合いが異なるので、この領域毎に異なるこの係数を掛けている。接眼レンズ７の上方に測光レンズ５と測光素子６を配置しているような場合は、撮影画面の下側に対応する分割測光領域のほうがカメラボディ毎の拡散光量の変化が大きい。そのため、Ｋ[ｉ]の値も撮影画面下側に対応する分割測光領域が大きな値となる。撮影画面上側に対応する分割測光領域に対してはＫ[ｉ]は小さな値となるものもあるので、状況に応じてこの補正を省略しても良い。Ｐｏ、ＡＶは通信されたレンズデータから算出される。Ａ、Ｂ、Ｃ、Ｄの値は各種レンズを取り付けた上で、実験によりにらみ角度と測光演算部によって算出される被写界輝度の誤差量との関係を解析し、数式１により演算される誤差量との差が最小になるように定めておく。
にらみ角のずれ量θの値は、カメラの組み立て調整時にコリメータ等の測定により求め、カメラボディ毎に異なる値を調整値としてＥＥＰＲＯＭなどに書きこむ。
あるいは所定の基準レンズと所定の被写界輝度のもとで、にらみ角のずれ量θと算出される被写界輝度の関係を表す対応テーブルを実験的に求めておき、所定被写界輝度に対して該基準レンズと個別カメラボディを組み合わせた時の算出される被写界輝度を求め、該被写界輝度から前記対応テーブルを逆引きしてにらみ角のずれ量θを求めるようにしてもよい。
この時使用するレンズは数が多いほど、統計的に正しいθの値を得ることが出来るが、調整の手間が増えるので、両者の兼ね合いをみてレンズの数を決めればよい。
数式１で求めた輝度補正量を用いて、最終的な被写界輝度は数式２で求められる。
【０００８】
【数２】
0004524852.tif 000003
【０００９】
ここで
Ｂｖ[ｉ]：各分割測光領域の被写界輝度
Ｇ[ｉ]：測光演算部４３で求めた被写界輝度
Ｓ[ｉ]：輝度補正量
ｉ：分割測光領域の領域を表す番号。この例では１〜５。
図６は、本発明によるカメラの測光装置の測光演算ルーチンを示すフローチャートである。本実施形態の測光演算ルーチンは、前述した測光演算部４３と測光補正演算部４５の演算を行うものであり、ボディマイコン２１で行われる。
Ｓ１０１において、ボディマイコン２１は、測光素子６から、測光データを読み込む。
Ｓ１０２において、ボディマイコン２１は、交換レンズ構体１０に内蔵されたレンズマイコン１１からレンズデータを読み込む。この中には、この後の演算に使用する撮影レンズのＦ値、射出瞳の大きさ／距離、焦点距離などのデータも含まれている。
Ｓ１０３において、ボディマイコン２１は、測光データとレンズデータを用いてニューロ演算などにより測光分割領域毎の被写界輝度Ｇ[ｉ]を算出する。
Ｓ１０４において、ボディマイコン２１は、ＥＥＰＲＯＭ２３から測光光学系Ｆ４０のにらみ角のずれ量θに対応した個別データを読み込む。
Ｓ１０５において、ボディマイコン２１は、個別データとレンズデータから輝度補正量Ｓ[ｉ]を算出し、被写界輝度Ｇ[ｉ]に加えて補正し、最終的な被写界輝度Ｂｖ[ｉ]を得る。
（変形形態）本発明は以上説明した実施形態に限定されることなく、種々の変形や変更が可能である。
カメラ個体毎の特性を代表する個別データは、測光光学系４０のにらみ角度のずれ量θに限定されるものでなく、例えばスクリーン３面上における撮影光軸１４と測光光軸１３との位置的なずれ量でもいいし、撮影画面に対する分割測光領域の位置的なずれ量、スクリーン３をプラスチック成形品で構成した場合の金型キャビティ別の拡散度の設計値からのずれ量などのデータでもよい。
また測光光学系４０のにらみ角度のずれ量θに関連する個別データとしては、例えばペンタプリズム４の寸法誤差、頂角の誤差、クイックリーターンミラー２の角度調整誤差等を直接測定して記憶させてもよい。
また個別データは１種類に限定されるものでなく、測光光学系のにらみ角度のずれ量と撮影画面に対する分割測光領域の位置のずれ量などの複数種類のデータを同時に使用してもよい。
また輝度補正演算部４５による輝度補正量の演算式は数式１に限定されることなく、測光光学系４０の設計仕様からの偏差量と輝度補正量との間の特性関係を表す演算式であればよく、理論的または実験的に求めることができる。
また本発明によるカメラの測光装置は測光光学系４０のカメラ個別バラツキを補正するものであるから、交換レンズ方式のカメラに限らず、撮影光学系１を介して測光を行う方式の測光装置であれば撮影レンズ一体型のカメラにも適用が可能である。
【００１０】
【発明の効果】
以上説明したように、本発明によれば、カメラの測光光学系の設計仕様からのカメラ個別の偏差量を測定し、予め測光光学系の特性や誤差発生メカニズムを考慮して定めた偏差量と輝度誤差量との関係から輝度補正量を求める構成としたため、カメラ毎に製造誤差を考慮して被写界輝度を個別補正することができ、従来に比較してよりきめ細かな補正が可能になり、高精度な被写界輝度の算出が可能になる。
【図面の簡単な説明】
【図１】本発明によるカメラの測光装置の実施形態を示したブロック図である。
【図２】カメラの測光装置の概略を示す構成図である。
【図３】測光光学系の基本構成を示す図である。
【図４】測光素子の分割形状を示す図である。
【図５】スクリーンにより拡散された光の拡散特性を示す図である。
【図６】本発明によるカメラの測光装置の実施形態の測光演算ルーチンを示すフローチャートである。
【符号の説明】
１    撮影レンズ
５    測光レンズ
６    測光素子
１１  レンズマイコン
１２  レンズＲＯＭ
２１  ボディマイコン
２２  ボディＲＯＭ
２３  ＥＥＰＲＯＭ
４０  測光光学系
４２  レンズデータ出力部
４３  測光演算部
４４  個別データ記憶部
４５  測光補正演算部
【図１】
0004524852.tif 000004
【図２】
0004524852.tif 000005
【図３】
0004524852.tif 000006
【図４】
0004524852.tif 000007
【図５】
0004524852.tif 000008
【図６】
0004524852.tif 000009